(57)【要約】      （修正有）【課題】導電性ハウジング構造体を備えた電子装置のような電子装置のための改善されたワイヤレス回路を提供する。【解決手段】電子装置は、アンテナを伴うワイヤレス回路を有する。アンテナのためのアンテナ共振素子アーム１０８がハウジング１２の縁に沿って延びる周囲導電性ハウジング構造体１６から形成される。細長い導電性部材１４２−１、１４２−２は、周囲導電性ハウジング構造体と接地点１０４との間の開口１３０−１Ａ、１３０−１Ｂ、１３０−２Ａ、１３０−２Ｂを長手方向に分割する。細長い導電性部材は、内部接地点から、ギャップ１８−１、１８−２に隣接配置された細長い導電性部材の外側端へと延びる。細長い導電性部材に沿って外側端のアンテナフィードへと伝送線が延びる。細長い導電性部材は、アンテナのためのスロットアンテナ共振素子として働く開放スロットを形成する。【選択図】図７
0003204685.tif 000002
【実用新案登録請求の範囲】
【請求項１】
周囲導電性構造体を有するハウジング；及び
前記周囲導電性構造体から形成された少なくとも１つの共振素子アームを有し、前記ハウジングの少なくとも１つの縁に沿って延びる細長い開口によりアンテナ共振素子アームから分離されたアンテナ接地点を有し、且つ細長い導電性部材とアンテナ接地点との間に開放スロットを形成する前記細長い開口内の細長い導電性部材を有するアンテナ；
を備えた電子装置。
【請求項２】
前記細長い導電性部材は、互いに反対の第１及び第２の端を有し、前記アンテナ接地点は、前記細長い導電性部材の第１の端が延びて来る部分であって、前記開放スロットの閉じた端を形成する部分を有し、そして前記開放スロットは、前記細長い導電性部材の第２の端に反対開放端を有する、請求項１に記載の電子装置。
【請求項３】
前記細長い導電性部材の第２端に配置されたアンテナのためのアンテナフィードを更に備えた、請求項２に記載の電子装置。
【請求項４】
前記周囲導電性構造体は、前記共振素子アームを前記アンテナ接地点から分離する少なくとも１つのギャップを有し、そして前記共振素子アームは、前記ギャップに一端を有する、請求項３に記載の電子装置。
【請求項５】
前記アンテナフィードは、前記細長い導電性部材の第２の端に接地アンテナフィード端子を有する、請求項４に記載の電子装置。
【請求項６】
前記アンテナフィードは、前記ギャップに隣接する前記共振素子アームの端に正のアンテナフィード端子を有する、請求項５に記載の電子装置。
【請求項７】
高周波トランシーバ回路；及び
前記高周波トランシーバ回路と前記アンテナフィードとの間を前記細長い導電性部材に沿って延びる伝送線；
を更に備えた請求項６に記載の電子装置。
【請求項８】
前記アンテナ共振アームに結合された少なくとも１つの電気的コンポーネントを更に備えた、請求項７に記載の電子装置。
【請求項９】
前記細長い導電性部材は、スロット状開口により前記アンテナ共振素子アームから分離され、そして前記電気的コンポーネントは、前記スロット状開口にまたがって結合される、請求項８に記載の電子装置。
【請求項１０】
前記電気的コンポーネントは、同調可能なインダクタを含む、請求項９に記載の電子装置。
【請求項１１】
前記スロット状開口にまたがって結合された固定インダクタを更に備えた、請求項１０に記載の電子装置。
【請求項１２】
前記周囲導電性構造体に付加的なギャップを更に備え、前記アンテナ共振素子アームは、付加的な細長い開口により前記アンテナ接地点から分離された部分を有し、及び
前記付加的な細長い開口を長手方向に分割し且つアンテナのための付加的な開放スロットを形成する付加的な細長い導電性部材を更に備えた、請求項１１に記載の電子装置。
【請求項１３】
前記トランシーバ回路から、前記付加的な細長い導電性部材に結合された付加的なアンテナフィードへ前記付加的な細長い導電性部材に沿って延びる付加的な伝送線；及び前記付加的なギャップに隣接する前記アンテナ共振素子アーム部分の端；を更に備えた請求項１２に記載の電子装置。
【請求項１４】
４つの縁と、それら縁の少なくとも幾つかに沿って延びる周囲導電性構造体とを有する長方形ハウジング；
前記周囲導電性構造体にあって、アンテナのためのアンテナ共振素子アームを画成する第１及び第２のギャップ；
アンテナのためのアンテナ接地点；
前記アンテナ接地点と前記アンテナ共振素子アームとの間に形成された第１及び第２の細長い開口内に各々延びる第１及び第２の細長い導電性部材であって、外側端を各々有する第１及び第２の細長い導電性部材；
前記第１の細長い導電性部材の外側端と前記第１ギャップに隣接するアンテナ共振素子アームとの間に結合された第１のアンテナフィード；及び
前記第２の細長い導電性部材の外側端と前記第２ギャップに隣接するアンテナ共振素子アームとの間に結合された第２のアンテナフィード；
を備えた電子装置。
【請求項１５】
前記第１及び第２の細長い開口は、３つの前記縁の周りに延びるＵ字型開口の一部分を形成する、請求項１４に記載の電子装置。
【請求項１６】
前記３つの縁は、前記ハウジングの下縁を含み、そして前記アンテナ接地点は、前記第１及び第２の細長い導電性部材が延びて来るところの前記下縁に隣接する突起部を有する、請求項１５に記載の電子装置。
【請求項１７】
高周波トランシーバ回路；及び
前記高周波トランシーバ回路に結合され、且つ前記第１及び第２の細長い導電性部材に沿って前記第１及び第２のアンテナフィードへ各々延びる第１及び第２の伝送線；
を更に備えた請求項１６に記載の電子装置。
【請求項１８】
アンテナのための第１の開放スロットが前記第１の細長い導電性部材と前記アンテナ接地点との間に形成され、アンテナのための第２の開放スロットが前記第２の細長い導電性部材と前記アンテナ接地点との間に形成され、そして前記アンテナは、前記第１の開放スロットに関連した第１の共振、前記第２の開放スロットに関連した第２の共振、前記共振素子アームの第１部分に関連した第３のアンテナ共振、及び前記アンテナ共振素子アームの第２部分に関連した第４の共振を示すよう構成される、請求項１７に記載の電子装置。
【請求項１９】
アンテナの一部分を形成する接地点からＵ字型開口により分離された周囲導電性構造体を有するハウジングを備え；
前記周囲導電性構造体において前記Ｕ字型開口の互いに反対の端にある第１及び第２のギャップを備え、前記周囲導電性構造体の一部分は、アンテナのためのアンテナ共振素子アームを形成し、そして前記第１及び第２のギャップは、前記アンテナ共振素子アームの第１及び第２の各端を形成し；
前記Ｕ字型開口の第１及び第２の各部分を長手方向に二分する第１及び第２の細長い導電性構造体を備え、前記第１及び第２の細長い導電性構造体及びアンテナ接地点は、アンテナのための第１及び第２のスロットアンテナ共振素子として働く第１及び第２の各開放スロットを形成する；
ように構成されたセルラー電話。
【請求項２０】
前記第１及び第２の細長い導電性構造体は、各々、外側端を有し、前記セルラー電話は、更に、
前記第１の細長い導電性構造体の外側端と前記アンテナ共振素子アームとの間に結合された第１のアンテナフィード；
前記第２の細長い導電性構造体の外側端と前記アンテナ共振素子アームとの間に結合された第２のアンテナフィード；
前記第１の細長い導電性部材に沿って前記第１のアンテナフィードへ延びる第１の伝送線；及び
前記第２の細長い導電性部材に沿って前記第２のアンテナフィードへ延びる第２の伝送線；
を備えた請求項１９に記載のセルラー電話。
【考案の詳細な説明】
【技術分野】
【０００１】
本考案は、一般的に、電子装置に関するもので、より詳細には、ワイヤレス通信回路を伴う電子装置に関する。
【０００２】
（関連出願の相互参照）
本願は、２０１５年４月２０日に出願された米国特許出願第１４／６９６，３０４号の優先権を主張するもので、該出願は、参考としてここにそのまま援用される。
【背景技術】
【０００３】
電子装置は、アンテナを伴うワイヤレス回路をしばしば備えている。例えば、セルラー電話、コンピュータ、及び他の装置は、ワイヤレス通信をサポートするためのアンテナをしばしば含む。
【考案の概要】
【考案が解決しようとする課題】
【０００４】
望ましい属性を伴う電子装置アンテナ構造を形成することが課題となっている。あるワイヤレス装置では、導電性ハウジング構造体のような導電性構造体が存在すると、アンテナの性能に影響を及ぼす。ハウジング構造体が適切に構成されずそしてアンテナの動作と干渉する場合には、アンテナの性能が満足なものとならない。又、装置のサイズも性能に影響を及ぼす。特に、コンパクトな装置が導電性ハウジング構造体を有するときは、コンパクトな装置に望ましい性能レベルを達成することが困難である。
【０００５】
それ故、導電性ハウジング構造体を備えた電子装置のような電子装置のための改善されたワイヤレス回路を提供できることが要望される。
【課題を解決するための手段】
【０００６】
電子装置は、アンテナを伴うワイヤレス回路を有する。この装置は、４つの縁をもつ長方形ハウジングのようなハウジングを有する。このハウジングは、ハウジングの縁に沿って延びる周囲導電性構造体のような導電性構造体を有する。
【０００７】
周囲導電性ハウジング構造体と内部接地点との間の開口からアンテナが形成される。その開口は、ハウジングの１つ以上の縁に沿って延びる。例えば、長方形装置ハウジングの一端の縁に沿って延びるＵ字型開口を使用してアンテナが形成される。
【０００８】
周囲導電性構造体のギャップ間に延びる周囲導電性構造体の一部分からアンテナのためのアンテナ共振素子アームが形成される。細長い導電性部材が周囲導電性ハウジング構造体と接地点との間のＵ字型開口の部分を長手方向に分割する。細長い導電性部材は、接地点の一部分から、ギャップに隣接配置された他端へと延びる。
【０００９】
細長い導電性部材に沿って外側端のアンテナフィードへと伝送線が延びる。アンテナフィードは、各々、外側端の１つに結合された接地端子と、ギャップの１つに隣接するアンテナ共振素子アームの一部分に結合された正の端子とを有する。細長い導電性部材は、アンテナのためのスロットアンテナ共振素子として働く開放スロットを形成する。
【図面の簡単な説明】
【００１０】
【図１】一実施形態による例示的電子装置の斜視図である。
【図２】一実施形態による電子装置の例示的回路の回路図である。
【図３】一実施形態による例示的ワイヤレス回路の回路図である。
【図４】一実施形態による例示的逆Ｆ字アンテナの回路図である。
【図５】本考案の一実施形態による例示的スロットアンテナの回路図である。
【図６】一実施形態による例示的アンテナ構造体及びアンテナフィードの図である。
【図７】一実施形態による例示的ハイブリッド逆Ｆ字型スロットアンテナの図である。
【図８】一実施形態により図７に示す形式のアンテナにフィードするのに使用される形式の例示的マッチング回路及びアンテナフィード構成の図である。
【図９】一実施形態により例示的電子装置アンテナの動作周波数の関数としてアンテナ性能（定在波比）をプロットしたグラフである。
【考案を実施するための形態】
【００１１】
図１の電子装置１０のような電子装置には、ワイヤレス通信回路が設けられる。ワイヤレス通信回路は、複数のワイヤレス通信帯域においてワイヤレス通信をサポートするのに使用される。
【００１２】
ワイヤレス通信回路は、１つ以上のアンテナを含む。ワイヤレス通信回路のアンテナは、ループアンテナ、逆Ｆ字アンテナ、ストリップアンテナ、平坦逆Ｆ字アンテナ、スロットアンテナ、２つ以上の形式のアンテナ構造を含むハイブリッドアンテナ、又は他の適当なアンテナを含む。必要があれば、アンテナのための導電性構造体が導電性電子装置構造体から形成されてもよい。
【００１３】
導電性電子装置構造体は、導電性ハウジング構造体を含む。このハウジング構造体は、電子装置の周囲にわたって延びる周囲導電性部材のような周囲構造体を含む。周囲導電性構造体は、ディスプレイのような平坦構造体のためのベゼルとして働くか、装置ハウジングのための側壁構造体として働くか、一体的な平坦後部ハウジングから上方に延びる部分を有するか（例えば、垂直の平坦側壁又はカーブした側壁を形成するため）、及び／又は他のハウジング構造体を形成する。
【００１４】
周囲導電性構造体には、周囲導電性構造体をセグメントに分割するギャップが形成される。１つ以上のセグメントは、電子装置１０のための１つ以上のアンテナを形成するのに使用される。又、アンテナは、金属ハウジング中間プレート構造体及び他の内部装置構造体のような導電性ハウジング構造体から形成されたアンテナ接地平面を使用して形成されてもよい。後部ハウジング壁構造体は、アンテナ接地点のようなアンテナ構造体を形成するのに使用されてもよい。
【００１５】
電子装置１０は、ポータブル電子装置又は他の適当な電子装置である。例えば、電子装置１０は、ラップトップコンピュータ、タブレットコンピュータ、若干小型の装置、例えば、腕時計装置、ペンダント装置、ヘッドホン装置、イヤホン装置、或いは他のウェアラブル又は小型装置、ハンドヘルド装置、例えば、セルラー電話、メディアプレーヤ、或いは他の小型ポータブル装置である。又、装置１０は、テレビジョン、セットトップボックス、デスクトップコンピュータ、コンピュータを一体化したコンピュータモニタ、或いは他の適当な電子装置である。
【００１６】
装置１０は、ハウジング１２のようなハウジングを備えている。時々ケースとも称されるハウジング１２は、プラスチック、ガラス、セラミック、繊維組成物、金属（例えば、ステンレススチール、アルミニウム、等）、他の適当な材料、又はこれら材料の組み合わせで形成される。ある状況において、ハウジング１２の部品は、誘電体又は他の低導電率材料から形成される。他の状況において、ハウジング１２、或いはハウジング１２を作り上げる構造体の少なくとも若干は、金属素子から形成される。
【００１７】
装置１０は、必要に応じて、ディスプレイ１４のようなディスプレイを有する。ハウジング１２の後面は、平坦なハウジング壁を有する。後部ハウジング壁は、プラスチック又は他の誘電体で埋められるギャップにより第１部分及び第２部分に分離される。この第１部分及び第２部分は、導電性構造体により電気的に結合される。ディスプレイ１４は、後部ハウジング壁から装置１０の反対の前面にマウントされる。ディスプレイ１４は、容量性タッチ電極を合体するタッチスクリーンであるか、又はタッチに対して不感である。
【００１８】
ディスプレイ１４は、発光ダイオード（ＬＥＤ）、有機ＬＥＤ（ＯＬＥＤ）、プラズマセル、エレクトロウェッティングピクセル、電気泳動ピクセル、液晶ディスプレイ（ＬＣＤ）コンポーネント、又は他の適当な画像ピクセル構造体から形成されたピクセルを含む。透明ガラス又はプラスチックの層のようなディスプレイカバー層がディスプレイの表面を覆うか、又はディスプレイ１４の最も外側の層がカラーフィルタ層、薄膜トランジスタ層、又は他の表示層から形成される。ボタン２４のようなボタンは、カバー層の開口を通過する。又、カバー層は、スピーカポート２６の開口のような他の開口も有する。
【００１９】
ハウジング１２は、構造体１６のような周囲ハウジング構造体を含む。構造体１６は、装置１０及びディスプレイ１４の周囲に延びる。装置１０及びディスプレイ１４が４つの縁を伴う長方形である構成において、構造体１６は、対応する４つの縁を伴う長方形リング形状を有する周囲ハウジング構造体を使用して実施される（一例として）。周囲構造体１６又は周囲構造体１６の一部分は、ディスプレイ１４のためのベゼル（例えば、ディスプレイ１４の四辺全体を取り巻き、及び／又はディスプレイ１４を装置１０に保持する上で役立つ化粧飾り）として働く。又、周囲構造体１６は、必要に応じて、装置１０の側壁構造体を形成する（例えば、垂直側壁、カーブした側壁、等をもつ金属バンドを形成することにより）。
【００２０】
周囲ハウジング構造体１６は、金属のような導電性材料から形成され、それ故、周囲導電性ハウジング構造体、導電性ハウジング構造体、周囲金属構造体、又は周囲導電性ハウジング部材とも称される（一例として）。周囲ハウジング構造体１６は、ステンレススチール、アルミニウム又は他の適当な材料のような金属から形成される。周囲ハウジング構造体１６を形成するのに、１つ、２つ又は３つ以上の個別の構造体を使用できる。
【００２１】
周囲ハウジング構造体１６が均一な断面を有する必要はない。例えば、周囲ハウジング構造体１６の頂部は、必要に応じて、ディスプレイ１４を位置保持する上で役立つ内方突出リップを有する。又、周囲ハウジング構造体１６の底部は、拡大リップも有する（例えば、装置１０の後面の平面に）。周囲ハウジング構造体１６は、実質的にまっすぐな垂直側壁を有するか、カーブした側壁を有するか、又は他の適当な形状を有する。ある構成では（例えば、周囲ハウジング構造体１６がディスプレイ１４のためのベゼルとして働くとき）、周囲ハウジング構造体１６は、ハウジング１２のリップの周りに延びる（即ち、周囲ハウジング構造体１６は、ディスプレイ１４を取り巻くハウジング１２の縁しかカバーせず、ハウジング１２の側壁の残り部分はカバーしない）。
【００２２】
必要に応じて、ハウジング１２は、導電性の後面を有する。例えば、ハウジング１２は、ステンレススチール又はアルミニウムのような金属から形成される。ハウジング１２の後面は、ディスプレイ１４に平行な平面内にある。ハウジング１２の後面が金属で形成される装置１０の構成では、周囲導電性ハウジング構造体１６の部分を、ハウジング１２の後面を形成するハウジング構造体の一体的部分として形成することが望ましい。例えば、装置１０の後部ハウジング壁は、平坦な金属構造体から形成され、そしてハウジング１２の側部にある周囲ハウジング構造体１６の部分は、平坦金属構造体の垂直に延びる一体的金属部分として形成される。そのようなハウジング構造体は、必要に応じて、金属のブロックから加工されてもよく、及び／又はハウジング１２を形成するように一緒にアッセンブルされる複数の金属断片を含んでもよい。ハウジング１２の平坦な後壁は、１つ以上、２つ以上又は３つ以上の部分を有してもよい。
【００２３】
ディスプレイ１４は、装置１０のユーザに対して画像を表示するアクティブなエリアＡＡを形成するピクセルのアレイを有する。インアクティブなエリアＩＡのようなインアクティブな境界領域は、アクティブなエリアＡＡの１つ以上の周縁に沿って延びる。
【００２４】
ディスプレイ１４は、タッチセンサのための容量性電極のアレイ、ピクセルをアドレスするための導電性ライン、ドライバ回路、等の導電性構造体を含む。ハウジング１２は、金属フレーム部材のような内部構造体、及びハウジング１２の壁に及ぶ平坦なハウジング部材（中間プレートとも称される）（即ち、部材１６の対向する辺と辺との間に溶接されるか、さもなければ、接続される１つ以上の部品から形成された実質的に長方形のシート）を含む。又、装置１０は、導電性構造体、例えば、プリント回路板、プリント回路板にマウントされたコンポーネント、及び他の内部導電性構造体も備えている。装置１０の接地平面を形成するのに使用されるこれらの導電性構造体は、ハウジング１２の中心に配置され、そしてディスプレイ１４のアクティブなエリアＡＡの下に延びる。
【００２５】
領域２２及び２０において、装置１０の導電性構造体内に開口が形成される（例えば、周囲導電性ハウジング構造体１６と、それに対向する導電性接地構造体、例えば、導電性ハウジング中間プレート又は後部ハウジング壁構造体、プリント回路板、及びディスプレイ１４と装置１０の導電性電気的コンポーネントとの間）。ギャップとも称されるこれらの開口は、空気、プラスチック及び他の誘電体で埋められ、そして装置１０の１つ以上のアンテナのためのスロットアンテナ共振素子を形成するのに使用される。
【００２６】
装置１０の導電性ハウジング構造体及び他の導電性構造体、例えば、中間プレート、プリント回路板上のトレース、ディスプレイ１４、及び導電性電子コンポーネントは、装置１０のアンテナのための接地平面として働く。領域２０及び２２の開口は、開放又は閉止スロットアンテナのスロットとして働くか、ループアンテナの導電性材料経路により取り巻かれた中央誘電体領域として働くか、アンテナ共振素子、例えば、ストリップアンテナ共振素子又は逆Ｆ字型アンテナ共振素子を接地平面から分離するスペースとして働くか、寄生アンテナ共振素子の性能に貢献するか、さもなければ、領域２０及び２２に形成されるアンテナ構造体の一部分として働く。必要に応じて、ディスプレイ１４のアクティブなエリアＡＡの下の接地平面及び／又は装置１０の他の金属構造体は、装置１０の端の部分へと延びる部分を有し（例えば、接地点は、領域２０及び２２の誘電体充填開口に向かって延び）、従って、領域２０及び２２のスロットを狭める。狭いＵ字型開口又は他の開口が装置１０の縁に沿って延びるような装置１０の構成では、装置１０の接地平面は、付加的な電気的コンポーネント（集積回路、センサ、等）を収容するように拡大することができる。
【００２７】
一般的に、装置１０は、適当な数（例えば、１つ以上、２つ以上、３つ以上、４つ以上、等）のアンテナを備えている。装置１０のアンテナは、細長い装置ハウジングの互いに逆の第１及び第２の端（例えば、図１の装置１０の端２０及び２２）に、装置ハウジングの１つ以上の縁に沿って、装置ハウジングの中央部に、他の適当な位置に、又はそのような位置の１つ以上に、配置される。図１の配置は、例示に過ぎない。
【００２８】
周囲ハウジング構造体１６の部分には、周囲ギャップ構造体が設けられる。例えば、周囲導電性ハウジング構造体１６には、図１に示すように、ギャップ１８のような１つ以上のギャップが設けられる。周囲ハウジング構造体１６のギャップには、誘電体、例えば、ポリマー、セラミック、ガラス、空気、他の誘電体材料又はそれら材料の組み合わせが充填される。ギャップ１８は、周囲ハウジング構造体１６を１つ以上の周囲導電性セグメントへと分割する。例えば、周囲ハウジング構造体１６には、２つの周囲導電性セグメントがあり（例えば、２つのギャップ１８を伴う構成）、３つの周囲導電性セグメントがあり（例えば、３つのギャップ１８を伴う構成）、４つの周囲導電性セグメントがあり（例えば、４つのギャップ１８を伴う構成）、等々である。このようにして形成される周囲導電性ハウジング構造体１６のセグメントは、装置１０のアンテナの部分を形成する。
【００２９】
必要に応じて、ハウジング１２を部分的に又は完全に貫通して延びる溝のようなハウジング１２の開口は、ハウジング１２の後壁の巾を横切って延び、そしてハウジング１２の後壁を貫通して、後壁を異なる部分に分割する。又、それらの溝は、周囲ハウジング構造体１６へも延びて、装置１０にアンテナスロット、ギャップ１８、及び他の構造体を形成する。ポリマー又は他の誘電体がそれらの溝及び他のハウジング開口を埋める。ある状況では、アンテナスロット及び他の構造体を形成するハウジング開口には、空気のような誘電体が充填される。
【００３０】
典型的なシナリオにおいて、装置１０は、上部及び下部アンテナを有する（一例として）。上部アンテナは、例えば、領域２２において装置１０の上端に形成される。下部アンテナは、例えば、領域２０において装置１０の下端に形成される。アンテナは、同じ通信帯域、重畳する通信帯域、又は個別の通信帯域をカバーするように別々に使用される。アンテナは、アンテナダイバーシティ構成、又は多入力・多出力（ＭＩＭＯ）アンテナ構成を実施するのに使用される。
【００３１】
装置１０のアンテナは、当該通信帯域をサポートするのに使用される。例えば、装置１０は、ローカルエリアネットワーク通信、ボイス及びデータセルラー電話通信、グローバルポジショニングシステム（ＧＰＳ）通信、又は他の衛星ナビゲーションシステム通信、Ｂｌｕｅｔｏｏｔｈ（登録商標）通信、等をサポートするためのアンテナ構造体を含む。
【００３２】
図２は、図１の装置１０に使用される例示的コンポーネントを示す回路図である。図２に示すように、装置１０は、ストレージ・処理回路２８のような制御回路を備えている。ストレージ・処理回路２８は、ハードディスクドライブストレージ、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等のストレージを含む。ストレージ・処理回路２８の処理回路は、装置１０の動作を制御するのに使用される。この処理回路は、１つ以上のマイクロプロセッサ、マイクロコントローラ、デジタル信号プロセッサ、特定用途向け集積回路、等をベースとしている。
【００３３】
ストレージ・処理回路２８は、装置１０のソフトウェア、例えば、インターネットブラウジングアプリケーション、ボイスオーバーインターネットプロトコル（ＶＯＩＰ）電話コールアプリケーション、ｅ−メールアプリケーション、メディアプレイバックアプリケーション、オペレーティングシステムファンクション、等を実行するのに使用される。外部装置との相互作用をサポートするために、ストレージ・処理回路２８は、通信プロトコルの実施に使用される。ストレージ・処理回路２８を使用して実施される通信プロトコルは、インターネットプロトコル、ワイヤレスローカルエリアネットワークプロトコル（例えば、ＩＥＥＥ８０２．１１プロトコル、ＷｉＦｉ（登録商標）とも称される）、他のショートレンジワイヤレス通信リンクのためのプロトコル、例えば、Ｂｌｕｅｔｏｏｔｈ（登録商標）プロトコル、セルラー電話プロトコル、多入力及び多出力（ＭＩＭＯ）プロトコル、アンテナダイバーシティプロトコル、等を含む。
【００３４】
入力／出力回路３０は、入力／出力装置３２を含む。入力／出力装置３２は、データを装置１０へ供給するのを許し、且つデータを装置１０から外部装置へ供給するのを許すために使用される。入力／出力装置３２は、ユーザインターフェイス装置、データポート装置、及び他の入力／出力コンポーネントを含む。例えば、入力／出力装置３２は、タッチセンサ、タッチセンサ能力をもたないディスプレイ、ボタン、ジョイスティック、スクロールホイール、タッチパッド、キーパッド、キーボード、マイクロホン、カメラ、ボタン、スピーカ、状態インジケータ、光源、オーディオジャック及び他のオーディオポートコンポーネント、デジタルデータポート装置、光センサ、運動センサ（加速度計）、キャパシタンスセンサ、接近センサ、指紋センサ（例えば、図１のボタン２４のようなボタンと一体化された指紋センサ又はボタン２４に代る指紋センサ）、等を含む。
【００３５】
入力／出力回路３０は、外部装置とワイヤレス通信するためのワイヤレス通信回路３４を備えている。このワイヤレス通信回路３４は、１つ以上の集積回路で形成された高周波（ＲＦ）トランシーバ回路、電力増幅回路、低ノイズ入力増幅器、受動的ＲＦコンポーネント、１つ以上のアンテナ、伝送線、及びＲＦワイヤレス信号を取り扱う他の回路を含む。又、ワイヤレス信号は、光を使用して（例えば、赤外線通信を使用して）送信することもできる。
【００３６】
ワイヤレス通信回路３４は、種々の高周波通信帯域を取り扱うための高周波トランシーバ回路９０を含む。例えば、回路３４は、トランシーバ回路３６、３８及び４２を含む。トランシーバ回路３６は、ＷｉＦｉ（登録商標）（ＩＥＥＥ８０２．１１）通信のために２．４ＧＨｚ及び５ＧＨｚ帯域を取り扱い、そして２．４ＧＨｚのＢｌｕｅｔｏｏｔｈ（登録商標）通信帯域を取り扱う。回路３４は、７００から９６０ＭＨｚの低い通信帯域、１４００から１５２０ＭＨｚの低い中間帯域、１７１０から２１７０ＭＨｚの中間帯域、及び２３００から２７００ＭＨｚの高い帯域、又は７００ＭＨｚないし２７００ＭＨｚの他の通信帯域或いは他の適当な周波数のような周波数範囲のワイヤレス通信を取り扱うためにセルラー電話トランシーバ回路３８を使用する（一例として）。回路３８は、ボイスデータ及び非ボイスデータを取り扱う。ワイヤレス通信回路３４は、必要に応じて、他のショートレンジ及びロングレンジのワイヤレスリンクのための回路を含む。例えば、ワイヤレス通信回路３４は、６０ＧＨｚのトランシーバ回路、テレビ及びラジオ信号を受信するための回路、ページングシステムトランシーバ、近フィールド通信（ＮＦＣ）回路、等を含む。ワイヤレス通信回路３４は、１５７５ＭＨｚのＧＰＳ信号を受信するか又は他の衛星ポジショニングデータを取り扱うためのＧＰＳ受信回路４２のようなグローバルポジショニングシステム（ＧＰＳ）受信装置を備えている。ＷｉＦｉ（登録商標）及びＢｌｕｅｔｏｏｔｈ（登録商標）リンク並びに他のショートレンジワイヤレスリンクでは、数十又は数百フィートにわたってデータを搬送するためにワイヤレス信号が典型的に使用される。セルラー電話リンク及び他のロングレンジリンクでは、数千フィート又はマイルにわたってデータを搬送するためにワイヤレス信号が典型的に使用される。
【００３７】
ワイヤレス通信回路３４は、アンテナ４０を備えている。アンテナ４０は、適当なアンテナ形式を使用して形成される。例えば、アンテナ４０は、ループアンテナ構造、パッチアンテナ構造、逆Ｆ字アンテナ構造、スロットアンテナ構造、平坦逆Ｆ字アンテナ構造、螺旋アンテナ構造、それら設計のハイブリッド、等から形成される共振素子を伴うアンテナを含む。異なる帯域及び帯域の組み合わせに対して異なる形式のアンテナを使用することができる。例えば、ローカルワイヤレスリンクアンテナを形成するのにある形式のアンテナが使用され、そしてリモートワイヤレスリンクアンテナを形成するのに別の形式のアンテナが使用される。
【００３８】
図３に示すように、ワイヤレス回路３４のトランシーバ回路９０は、経路９２のような経路を使用してアンテナ構造体４０に結合される。ワイヤレス回路３４は、制御回路２８に結合される。制御回路２８は、入力／出力装置３２に結合される。入力／出力装置３２は、装置１０からの出力を供給し、そして装置１０の外部のソースから入力を受け取る。
【００３９】
アンテナ４０のようなアンテナ構造体に当該通信周波数をカバーする能力を与えるために、アンテナ４０には、フィルタ回路のような回路（例えば、１つ以上の受動的フィルタ及び／又は１つ以上の同調可能なフィルタ回路）が設けられる。キャパシタ、インダクタ及び抵抗器のような個別コンポーネントがフィルタ回路に合体される。又、パターン化された金属構造体から、容量性構造体、誘導性構造体及び抵抗性構造体も形成される（例えば、アンテナの一部分）。当該通信帯域にわたってアンテナを同調するために、同調可能なコンポーネント１０２のような調整可能な回路が、必要に応じて、アンテナ４０に設けられる。同調可能なコンポーネント１０２は、同調可能なフィルタ又は同調可能なインピーダンスマッチング回路の一部分であるか、アンテナ共振素子の一部分であるか、アンテナ共振素子とアンテナ接地点との間のギャップにわたる、といったものである。同調可能なコンポーネント１０２は、同調可能なインダクタ、同調可能なキャパシタ、又は他の同調可能なコンポーネントを含む。そのような同調可能なコンポーネントは、固定コンポーネントのスイッチ及びネットワーク、関連分布キャパシタンス及びインダクタンスを発生する分布金属構造体、可変キャパシタンス及びインダクタンス値を発生する可変ソリッドステート装置、同調可能なフィルタ、又は他の適当な同調可能な構造体をベースとする。装置１０の動作中に、制御回路２８は、経路１２０のような１つ以上の経路に制御信号を発生し、この制御信号は、同調可能なコンポーネント１０２に関連したインダクタンス値、キャパシタンス値又は他のパラメータを調整し、それにより、望ましい通信帯域をカバーするようにアンテナ構造体を同調させる。
【００４０】
経路９２は、１つ以上の伝送線を含む。例えば、図３の信号経路９２は、線９４のような正の信号導体及び線９６のような接地信号導体を有する伝送線である。線９４及び９６は、同軸ケーブル又はマイクロストリップ伝送線の一部分を形成する（一例として）。インダクタ、抵抗器及びキャパシタのようなコンポーネントで形成されるマッチングネットワークは、アンテナ４０のインピーダンスを伝送線９２のインピーダンスにマッチングさせるのに使用される。マッチングネットワークのコンポーネントは、個別のコンポーネント（例えば、表面取り付け技術のコンポーネント）として設けられてもよいし、ハウジング構造体、プリント回路板構造体、プラスチック支持体上のトレース、等から形成されてもよい。そのようなコンポーネントは、アンテナ４０にフィルタ回路を形成するのにも使用され、そして同調可能な及び／又は固定のコンポーネントである。
【００４１】
伝送線９２は、アンテナ構造体４０に関連したアンテナフィード構造体に結合される。一例として、アンテナ構造体４０は、逆Ｆ字アンテナ、スロットアンテナ、ハイブリッド逆Ｆ字スロットアンテナ、又は端子９８のような正のアンテナフィード端子及び接地アンテナフィード端子１００のような接地アンテナフィード端子を伴うアンテナフィードを有する他のアンテナを形成する。正の伝送線導体９４は、正のアンテナフィード端子９８に結合され、そして接地伝送線導体９６は、接地アンテナフィード端子９２に結合される。必要に応じて、他の形式のアンテナフィード構成体が使用されてもよい。例えば、アンテナ構造体４０は、複数のフィードを使用してフィードされてもよい。図３の例示的フィード構成は、例示に過ぎない。
【００４２】
制御回路２８は、インピーダンス測定回路を使用して、アンテナインピーダンス情報を収集する。制御回路２８は、接近センサ（例えば、図２のセンサ３２）からの情報、受信した信号強度情報、１つ以上のアンテナインピーダンスセンサからの情報、又は他の情報を使用して、アンテナ４０が近傍の外部物体の存在により影響を受けるとき、又は同調が必要となるときを判定する。それに応答して、制御回路２８は、調整可能なインダクタ又は他の同調可能なコンポーネント１０２を調整して、アンテナ４０が必要に応じて動作するよう保証する。又、コンポーネント１０２の調整は、アンテナ４０のカバレージを拡張するためにも行われる（例えば、アンテナ４０が同調なしにカバーするよりも広い周波数範囲にわたって延びる望ましい通信帯域をカバーするために）。
【００４３】
図４は、装置１０のアンテナ４０を実施するのに使用される例示的な逆Ｆ字型アンテナ構造体の図である。図４の逆Ｆ字型アンテナ４０は、アンテナ共振素子１０６及びアンテナ接地点（接地平面）１０４を有する。アンテナ共振素子１０６は、アーム１０８のような主共振素子アームを有する。アーム１０８の長さ及び／又はアーム１０８の部分は、アンテナ４０が望ましい動作周波数で共振するように選択される。例えば、アーム１０８の長さは、アンテナ４０の望ましい動作周波数における波長の１／４である。アンテナ４０は、高調波の周波数でも共振を示す。
【００４４】
主共振素子アーム１０８は、戻り路１１０により接地点１０４に結合される。この経路１１０にはインダクタ又は他のコンポーネントが挿入され、及び／又は同調可能なコンポーネント１０２が経路１１０に挿入され、及び／又はアーム１０８と接地点１０４との間で経路１１０に平行に結合される。
【００４５】
アンテナ４０は、１つ以上のアンテナフィードを使用してフィードされる。例えば、アンテナ４０は、アンテナフィード１１２を使用してフィードされる。アンテナフィード１１２は、正のアンテナフィード端子９８及び接地アンテナフィード端子１００を備え、そしてアーム１０８と接地点１０４との間で戻り路１１０に平行に延びる。又、アンテナ４０は、フィード１１２’のようなアーム１０８の端に位置するフィードによってフィードされてもよい。フィード１１２’は、アーム１０８に結合された正のアンテナフィード端子９８’、及び接地点１０４に結合された接地アンテナフィード１００’を含む。必要に応じて、図４の例示的アンテナ４０のような逆Ｆ字アンテナは、２つ以上の共振アーム岐路を有するか（例えば、複数の共振帯域での動作をサポートするための複数周波数共振を生成するために）、又は他のアンテナ構造を有する（例えば、寄生アンテナ共振素子、アンテナの同調をサポートするための同調可能なコンポーネント、等）。例えば、アーム１０８は、フィード１１２及び戻り路１１０から外方に延びる左及び右の岐路を有する。アンテナ４０のようなアンテナをフィードするのに複数のフィードが使用されてもよい。
【００４６】
アンテナ４０は、１つ以上のスロットアンテナ共振素子を含むハイブリッドアンテナである。図５に示すように、例えば、アンテナ４０は、アンテナ接地点１０４内に形成されたスロット１１４のような開口を有するスロットアンテナ構成に基づくものである。スロット１１４には、空気、プラスチック及び／又は他の誘電体が充填される。スロット１１４の形状は、まっすぐであってもよいし、又は１つ以上の屈曲部を有してもよい（即ち、スロット１１４は、曲がりくねった経路をたどる細長い形状を有する）。アンテナ４０のアンテナフィードは、正のアンテナフィード端子９８及び接地アンテナフィード端子１００を含む。フィード端子９８及び１００は、例えば、スロット１１４の両側（例えば、両長辺）に配置される。図５のスロットアンテナ共振素子１１４のようなスロットベースのアンテナ共振素子は、アンテナ信号の波長がスロットの周囲と等しくなる周波数においてアンテナ共振を生じさせる。狭いスロットでは、スロットアンテナ共振素子の共振周波数は、スロットの長さが波長の半分に等しくなる信号周波数に関連している。スロットアンテナ周波数応答は、同調可能なインダクタ又は同調可能なキャパシタのような１つ以上の同調可能なコンポーネントを使用して同調することができる。これらのコンポーネントは、スロットの両側に結合された端子を有する（即ち、同調可能なコンポーネントは、スロットを橋絡する）。必要に応じて、同調可能なコンポーネントは、スロット１１４の１つの辺の長さに沿った各位置に結合された端子を有する。これらの構成を組み合わせて使用してもよい。
【００４７】
アンテナ４０は、図４及び図５の両方に示す形式の共振素子を含むハイブリッドスロット逆Ｆ字型アンテナである。この形式のハイブリッドアンテナのための例示的なフィード構成が図６に示されている。図６に示すように、ハイブリッドアンテナ４０（例えば、ハイブリッドスロット逆Ｆ字型アンテナ）は、フィードＦ１のような第１フィード及びフィードＦ２のような第２フィードを使用してトランシーバ回路９０によりフィードされる。トランシーバ回路９０は、伝送線９２−１を使用してフィードＦ１に結合された第１ポートと、伝送線９２−２を使用してフィードＦ２に結合された第２ポートとを有する。必要に応じて、マッチング回路Ｍ１及びＭ２のような同調可能な及び／又は固定のインピーダンスマッチング回路が経路９２−１及び９２−２に挿入される。アンテナ４０’のような付加的なアンテナ構造体（例えば、単極素子又は他の形式のアンテナ）は、トランシーバ回路９０を使用してフィードされ、そしてアンテナ４０の周波数カバレージを向上させる上で役立つ。図６の例では、アンテナ４０’は、伝送線９２−３を使用して回路９０の第３ポートをアンテナ４０’に結合することによりフィードＦ３においてフィードされるが、必要に応じて他のフィード構成を使用してもよい（例えば、要素４０’をフィードするのにフィードＦ１及びＦ２の一方が使用されるフィード構成）。必要に応じて、経路９２−３にはマッチング回路が挿入される。アンテナ４０’は、２．４及び／又は５ＧＨｚにおいてローカルワイヤレスローカルエリアネットワークカバレージを与えるのに使用される一方、アンテナ４０は、衛星ナビゲーション及びセルラー帯域をカバーするのに使用され、及び／又はアンテナ４０’は、他の適当な周波数帯域においてカバレージを与えるのに使用される。必要であれば、付加的なアンテナ要素４０’は、省略されてもよく、又は２つ以上の要素４０’のような付加的な要素が装置１０に含まれてもよい。アンテナ要素４０’のようなアンテナ要素は、端２０及び／又は２２に配置されるか、又は装置１０内のどこかに配置される。
【００４８】
二重フィードハイブリッドアンテナに使用される例示的構成を示す装置１０の内部が図７に示されている。図７に示すように、アンテナ４０は、周囲導電性構造体１６から形成されたアーム１０８のような逆Ｆ字型アンテナ共振素子を有する。アーム１０８は、ギャップ１８−１において接地平面１０４から分離された第１端と、ギャップ１８−２において接地平面１０４から分離された第２端とを有する。細長い開口がアーム１０８を接地平面１０４から分離する。細長い開口は、装置１０の３つの周縁に沿って延びるＵ字型をしているか、又は他の形状をしている。アンテナアーム１０８は、岐路Ａ１のような第１の岐路と、岐路Ａ２のような第２の岐路とを有する。フィードＦ１における岐路Ａ１の端は、正のアンテナフィード端子９８−１及び接地アンテナフィード端子１００−１を使用してフィードされる。フィードＦ２における岐路Ａ２の端（即ち、アーム１０８の反対端）は、正のアンテナフィード端子９８−２及び接地アンテナフィード端子１００−２を使用してフィードされる。
【００４９】
接地平面１０４の中央部分は、下方に延びて、接地平面突起１０４’を形成する。接地平面突起１０４’は、２つの対向する細長い（ストリップ形状の）導電性部材、即ち導電性部材１４２−１及び導電性部材１４２−２を形成するように分岐する。これら導電性部材１４２−１及び１４２−２は、加工された金属、ハウジング１２の部分、プラスチック支持構造体上の金属トレース（例えば、プラスチック支持体の部分がレーザ光への露出により選択的に活性化されて、その後の電気メッキ作業中に局部的金属メッキを促進するようなレーザダイレクトストラクチャリング技術を使用してパターン化されたトレース）、型抜きされた金属ホイル、ワイヤ、又は他の細長い導電性構造体から形成される。導電性部材１４２−１及び１４２−２のような構造体は、アーム１０８と接地平面１０４との間の開口へモールドされるプラスチックにより支持されるか、プリント回路又は他の基板上に支持されるか、或いはアーム１０８と接地平面１０４との間で空気中に部分的又は完全に懸架される。
【００５０】
高周波トランシーバ回路９０は、伝送線９２−１及び９２−２のような各伝送線を使用して細長い導電性部材１４２−１及び１４２−２の外側端においてアンテナフィードＦ１及びＦ２に結合される。伝送線９２−１は、正の信号経路９４−１及びそれに関連した接地信号導体９６−１を含む。伝送線９２−２は、正の信号経路９４−２及び接地信号経路９６−２を含む。伝送線９２−１及び９２−２は、各細長い部材１４２−１及び１４２−２に沿って延び、そしてトランシーバ回路９０を各フィードＦ１及びＦ２に結合する。伝送線９２−１及び９２−２を形成するのに、必要に応じて、同軸ケーブル、柔軟なプリント回路ケーブル、又は他のケーブルが使用される。例えば、第１の同軸ケーブルは、部材１４２−１に沿って延び、そして第２の同軸ケーブルは、部材１４２−２に沿って延びる。第１及び第２の同軸ケーブルの中心導体は、正の信号経路９４−１及び９４−２を形成する。第１及び第２の同軸ケーブルの外側導体は、接地信号経路９６−１及び９６−２を形成し、そして部材１４２−１及び１４２−２の端において各接地フィード端子１００−１及び１００−２に短絡される。必要に応じて、ケーブルの外側導体は、部材１４２−１及び１４２−２の長さに沿った１つ以上の位置において部材１４２−１及び１４２−２にも短絡される。部材１４２−１及び１４２−２は、伝送線９２−１及び９２−２の接地導体とは個別であり（即ち、部材１４２−１及び１４２−２は、第１及び第２の同軸ケーブルの外側接地導体とは個別であり）、或いは部材１４２−１及び１４２−２は、接地信号経路９６−１及び９６−２の幾つか又は全部を形成する。
【００５１】
アーム１０８と接地点１０４との間の開口は、装置１０の１つ以上の縁に沿って延びる形状をしている。図７の例では、アーム１０８と接地点１０４との間の開口は、装置１０の左下縁の一部分、装置１０の底縁、及び装置１０の右下縁の一部分に沿って延びるＵ字型である。接地突起１０４’は、この開口を左右の半部分に横方向に二分する。開口の左半分は、部材１４２−１によりその長さに沿って二分されて（即ち、左開口が長手方向に分割されて）、開口１３０−１Ａ及び１３０−１Ｂを形成する。開口の右半分は、部材１４２−２によりその長さに沿って二分されて（即ち、右開口が長手方向に分割されて）、開口１３０−２Ａ及び１３０−２Ｂを形成する。開口１３０−１Ａ、１３０−１Ｂ、１３０−２Ａ及び１３０−２Ｂは、細長いストリップの形状を有し、スロット状開口又はスロットとも称される。開放スロット１３０−１Ａ及び１３０−２Ａのようなスロットは、アンテナ４０の周波数カバレージに貢献するスロットアンテナ共振素子を形成する。開口１３０−１Ａ、１３０−１Ｂ、１３０−２Ａ及び１３０−２Ｂの長さは、１から２０ｃｍ、３ｃｍ以上、７ｃｍ以上、３０ｃｍ未満、２０ｃｍ未満、１０ｃｍ未満、又は他の適当な長さである。開口１３０−１Ａ、１３０−１Ｂ、１３０−２Ａ及び１３０−２Ｂの巾は、０．５から５ｍｍ、１から３ｍｍ、０．２ｍｍ以上、１ｍｍ以上、３ｍｍ未満、６ｍｍ未満、又は他の適当な巾である。
【００５２】
開口１３０−１Ａは、接地突起１０４’の左側に閉じた端を有し、そして開放端１４４−１のような反対の開放端を有する。開口１３０−２Ａは、接地突起１０４’の右側に閉じた端を有し、そして開放端１４４−２のような反対の開放端を有する。開口１３０−１Ａ及び１３０−２Ａは、第１及び第２の各開放端スロットＳ１及びＳ２（開放スロット又は開放スロット共振素子とも称される）を形成する。図７の例示的構成では、スロットＳ１及びＳ２の開放端は、正の信号導体９４−１及び９４−２によって橋絡されない。というのは、導体９４−１及び９４−２は、接地突起１０４’から部材１４２−１及び１４２−２に沿って延び、アーム１０８の両端の各正のアンテナフィード端子９８−１及び９８−２で終了するからである。
【００５３】
図７に示すように、インダクタ１３２及び同調可能なインダクタ１３４のようなコンポーネント（又は他の同調可能なコンポーネント１０２）は、アーム１０８と接地点１０４の接地突起１０４’との間のギャップ（１３０−１Ｂ及び／又は１３０−２Ｂ）にわたるものである。アーム１０８は、アームＡ１及びアームＡ２のような岐路を有する。アームＡ１は、フィードＦ１におけるギャップ１８−１とコンポーネント１３２及び１３４との間に延びる。アームＡ２は、フィードＦ２におけるギャップ１８−２とコンポーネント１３２及び１３４との間に延びる。スロットＳ１及びＳ２とアームＡ１及びＡ２は、ハイブリッド逆Ｆ字型スロットアンテナ（アンテナ４０）の部分を形成する。開放スロットＳ１及びＳ２の長さと、共振素子（アーム）１０８の各岐路（アーム）Ａ１及びＡ２の長さは、アンテナ４０が望ましい通信帯域で動作することを保証する上で役立つアンテナ共振ピークを形成する。
【００５４】
図８は、同軸ケーブル１４０のようなケーブルが部材１４２−２に沿ってどのように延びるかを示す（部材１４２−１の構成も同様である）。図８の例では、ケーブル１４０は、正の伝送線経路９４−２を形成する中心導体と、接地伝送線経路９６−２を形成する外側接地導体とを有する（即ち、図８のケーブル１４０は、伝送線９２−２を形成する）。フィードＦ２において、正の伝送線経路９４−２は、開口１３０−２Ｂを横切って延び、そしてアームＡ２の端において正のアンテナフィード端子９８−２に短絡される。基板１４６にマウントされた電気的コンポーネント１４８からフィードＦ２のインピーダンスマッチング回路（マッチング回路Ｍ２）が形成される（一例として）。インピーダンスマッチング回路は、伝送線９２−２に挿入され、そして正のフィード端子９８−２及び接地フィード端子１００−２（これは、部材１４２−２の外側端において経路９２−２の接地導体を終端することで形成される）に結合される。図８に示す形式の構造体は、フィードＦ２及びフィードＦ１の両方に使用される。インピーダンスマッチング回路は、固定されてもよいし、又は同調可能でもよい（例えば、同調可能なコンポーネント１０２を参照）。
【００５５】
図９は、図７のアンテナ４０のような例示的アンテナに対してアンテナ性能（定在波比ＳＷＲ）が動作周波数の関数としてプロットされたグラフである。図９に示すように、アンテナ４０は、低い帯域ＬＢ、低い中間帯域ＬＭＢ、中間帯域ＭＢ、及び高い帯域ＨＢにおける共振を示す。低い帯域ＬＢは、７００ＭＨｚから９６０ＭＨｚまで延び、低い中間帯域ＬＭＢは、１４００ＭＨｚから１５２０ＭＨｚまで延び、中間ＭＢは、１７００ＭＨｚから２２００ＭＨｚまで延び、そして高い帯域は、２３００ＭＨｚから２７００ＭＨｚまで延びる（一例として）。低い帯域ＬＢにおける共振は、アームＡ２の長さに関連している。低い中間帯域ＬＭＢにおける共振は、スロットＳ２の長さから生じる。アームＡ１の長さは、中間帯域ＭＢにおける共振を生じさせる。高い帯域ＨＢにおける共振は、スロットＳ１の長さから発生される。スロットＳ１の長さに関連した高次の共振は、５ＧＨｚのような高い周波数におけるアンテナ応答をサポートする。必要に応じて、図６のアンテナ構造体４０’のような付加的なアンテナ構造体（例えば、単極、等）は、５ＧＨｚにおいてカバレージをサポートするのに使用される。
【００５６】
図７のアンテナ４０のようなアンテナは、装置１０の下端、装置１０の上端、装置１０の上下の両端、又は装置１０のどこかに形成される。コンポーネント１３２及び１３４、及び／又はアームＡ１及びＡ２とスロットＳ１及びＳ２との形状を調整することにより、異なる周波数範囲をカバーすることができる。スロットＳ１及びＳ２とアームＡ１及びＡ２は、装置１０の１つの縁に沿って、装置１０の２つの縁に沿って、装置１０の３つの縁に沿って（図７に示すように）、或いは装置１０の４つの縁に沿って形成される（一例として）。図７の構成は、単なる例示に過ぎない。
【００５７】
一実施形態によれば、周囲導電性構造体を有するハウジング；及び前記周囲導電性構造体から形成された少なくとも１つの共振素子アームを有し、前記ハウジングの少なくとも１つの縁に沿って延びる細長い開口によりアンテナ共振素子アームから分離されたアンテナ接地点を有し、且つ細長い導電性部材とアンテナ接地点との間に開放スロットを形成する前記細長い開口内の細長い導電性部材を有するアンテナ；を備えた電子装置が提供される。
【００５８】
別の実施形態によれば、前記細長い導電性部材は、互いに反対の第１及び第２の端を有し、前記アンテナ接地点は、前記細長い導電性部材の第１の端が延びて来る部分であって、前記開放スロットの閉じた端を形成する部分を有し、そして前記開放スロットは、前記細長い導電性部材の第２の端に反対開放端を有する。
【００５９】
別の実施形態によれば、前記電子装置は、前記細長い導電性部材の第２の端に配置されたアンテナのためのアンテナフィードを備えている。
【００６０】
別の実施形態によれば、前記周囲導電性構造体は、前記共振素子アームを前記アンテナ接地点から分離する少なくとも１つのギャップを有し、そして前記共振素子アームは、前記ギャップに一端を有する。
【００６１】
別の実施形態によれば、前記アンテナフィードは、前記細長い導電性部材の第２の端に接地アンテナフィード端子を有する。
【００６２】
別の実施形態によれば、前記アンテナフィードは、前記ギャップに隣接する前記共振素子アームの端に正のアンテナフィード端子を有する。
【００６３】
別の実施形態によれば、前記電子装置は、高周波トランシーバ回路；及び該高周波トランシーバ回路と前記アンテナフィードとの間を前記細長い導電性部材に沿って延びる伝送線；を備えている。
【００６４】
別の実施形態によれば、前記電子装置は、前記アンテナ共振アームに結合された少なくとも１つの電気的コンポーネントを備えている。
【００６５】
別の実施形態によれば、前記細長い導電性部材は、スロット状開口により前記アンテナ共振素子アームから分離され、そして前記電気的コンポーネントは、前記スロット状開口にまたがって結合される。
【００６６】
別の実施形態によれば、前記電気的コンポーネントは、同調可能なインダクタを含む。
【００６７】
別の実施形態によれば、前記電子装置は、前記スロット状開口にまたがって結合された固定インダクタを備えている。
【００６８】
別の実施形態によれば、前記電子装置は、前記周囲導電性構造体に付加的なギャップを備え、前記アンテナ共振素子アームは、付加的な細長い開口により前記アンテナ接地点から分離された部分を有するものであり、そして前記付加的な細長い開口を長手方向に分割し且つアンテナのための付加的な開放スロットを形成する付加的な細長い導電性部材を更に備えている。
【００６９】
別の実施形態によれば、前記電子装置は、前記トランシーバ回路から、前記付加的な細長い導電性部材に結合された付加的なアンテナフィードへ前記付加的な細長い導電性部材に沿って延びる付加的な伝送線；及び前記付加的なギャップに隣接する前記アンテナ共振素子アーム部分の端；を備えている。
【００７０】
一実施形態によれば、４つの縁と、少なくとも幾つかの縁に沿って延びる周囲導電性構造体とを有する長方形ハウジング；前記周囲導電性構造体にあって、アンテナのためのアンテナ共振素子アームを画成する第１及び第２のギャップ；アンテナのためのアンテナ接地点；前記アンテナ接地点とアンテナ共振素子アームとの間に形成された第１及び第２の細長い開口内に各々延びる第１及び第２の細長い導電性部材であって、外側端を各々有する第１及び第２の細長い導電性部材；前記第１の細長い導電性部材の外側端と前記第１ギャップに隣接するアンテナ共振素子アームとの間に結合された第１のアンテナフィード；及び前記第２の細長い導電性部材の外側端と前記第２ギャップに隣接するアンテナ共振素子アームとの間に結合された第２のアンテナフィード；を備えた電子装置が提供される。
【００７１】
別の実施形態によれば、前記第１及び第２の細長い開口は、３つの前記縁の周りに延びるＵ字型開口の一部分を形成する。
【００７２】
別の実施形態によれば、前記３つの縁は、前記ハウジングの下縁を含み、そして前記アンテナ接地点は、前記第１及び第２の細長い導電性部材が延びて来るところの前記下縁に隣接する突起部を有する。
【００７３】
別の実施形態によれば、前記電子装置は、高周波トランシーバ回路；及びこの高周波トランシーバ回路に結合され、且つ前記第１及び第２の細長い導電性部材に沿って前記第１及び第２のアンテナフィードへ各々延びる第１及び第２の伝送線；を備えている。
【００７４】
別の実施形態によれば、アンテナのための第１の開放スロットが前記第１の細長い導電性部材と前記アンテナ接地点との間に形成され、そしてアンテナのための第２の開放スロットが前記第２の細長い導電性部材と前記アンテナ接地点との間に形成される。
【００７５】
別の実施形態によれば、前記アンテナは、前記第１の開放スロットに関連した第１の共振、前記第２の開放スロットに関連した第２の共振、前記共振素子アームの第１部分に関連した第３のアンテナ共振、及び前記アンテナ共振素子アームの第２部分に関連した第４の共振を示すように構成される。
【００７６】
一実施形態によれば、アンテナの一部分を形成する接地点からＵ字型開口により分離された周囲導電性構造体を有するハウジングを備え；前記周囲導電性構造体において前記Ｕ字型開口の互いに反対の端にある第１及び第２のギャップを備え、前記周囲導電性構造体の一部分は、アンテナのためのアンテナ共振素子アームを形成し、そして前記第１及び第２のギャップは、前記アンテナ共振素子アームの第１及び第２の各端を形成し；前記Ｕ字型開口の第１及び第２の各部分を長手方向に二分する第１及び第２の細長い導電性構造体を備え、前記第１及び第２の細長い導電性構造体及びアンテナ接地点は、アンテナのための第１及び第２のスロットアンテナ共振素子として働く第１及び第２の各開放スロットを形成する；ように構成されたセルラー電話が提供される。
【００７７】
別の実施形態によれば、前記第１及び第２の細長い導電性構造体は、各々、外側端を有し、前記セルラー電話は、前記第１の細長い導電性構造体の外側端と前記アンテナ共振素子アームとの間に結合された第１のアンテナフィード；前記第２の細長い導電性構造体の外側端と前記アンテナ共振素子アームとの間に結合された第２のアンテナフィード；前記第１の細長い導電性部材に沿って前記第１のアンテナフィードへと延びる第１の伝送線；及び前記第２の細長い導電性部材に沿って前記第２のアンテナフィードへと延びる第２の伝送線；を備えている。
【００７８】
以上の説明は、単なる例示に過ぎず、当業者であれば、ここに開示する実施形態の範囲及び精神から逸脱せずに種々の変更がなされるであろう。前記実施形態は、個々に実施されてもよいし又は任意の組み合わせで実施されてもよい。
【符号の説明】
【００７９】
１０：電子装置
１２：ハウジング
１４：ディスプレイ
１６：周囲ハウジング構造体
１８：ギャップ
２０、２２：領域
２４：ボタン
２６：スピーカポート
２８：ストレージ・処理回路
３０：入力／出力回路
３２：入力／出力装置
３４：ワイヤレス通信回路
３６、３８：トランシーバ回路
４０：ハイブリッドアンテナ
４０’：アンテナ
４２：ＧＰＳ受信回路
９０：トランシーバ回路
９２：伝送線
９４：正の伝送線導体
９６：接地伝送線導体
９８：正のアンテナフィード端子
１００：接地アンテナフィード端子
１０２：同調可能なコンポーネント
１０４：アンテナ接地点（接地平面）
１０６：アンテナ共振素子
１０８：共振素子アーム
１１０：戻り路
１１２：アンテナフィード
１１４：スロット
１２０：経路
１３０：開口
１３２、１３４：コンポーネント
１４０：同軸ケーブル
１４２：導電性部材
Ａ１、Ａ２：岐路
【図１】
0003204685.tif 000003
【図２】
0003204685.tif 000004
【図３】
0003204685.tif 000005
【図４】
0003204685.tif 000006
【図５】
0003204685.tif 000007
【図６】
0003204685.tif 000008
【図７】
0003204685.tif 000009
【図８】
0003204685.tif 000010
【図９】
0003204685.tif 000011